(57)【要約】【課題】地震が発生して地面が揺れた時に垂直及び水平方向の振動の緩衝材となり、建築物に過度な振動を伝えない建築物の防震装置を提供する。【解決手段】  上緩衝台２０と、上緩衝台２０の周囲に複数環状排列した側面緩衝台３０と、上緩衝台２０を載せる下緩衝台４０から構成された建築物の防震装置において、上緩衝台２０は中空の台座で、その内部の水平方向には放射状に排列した複数個のバネ２８が設置され、複数の側面緩衝台３０は、上蓋３６及び下蓋３１から構成され、上下蓋の間には数個のバネ３５を挟む、ことを特徴とする建築物の防震装置。【選択図】図４
0003128877.tif 000002
【実用新案登録請求の範囲】
【請求項１】
上緩衝台と、
上緩衝台の周囲に複数環状排列した側面緩衝台と、
上緩衝台を載せる下緩衝台から構成された建築物の防震装置において、
上緩衝台は中空の台座で、その内部の水平方向には放射状に排列した複数個のバネが設置され、
複数の側面緩衝台は、上蓋及び下蓋から構成され、上下蓋の間には数個のバネを挟み、上蓋が弾性収縮して位置移動し、各側面緩衝台の裏側には鎖錠部品が設置されて上緩衝台の側面に差し込み、上緩衝台に対応するバネにより側面緩衝台全体が弾性伸縮移動し、上緩衝台の底面は下向きに口が開いた状態の下枠台を設置し、その下枠台が下緩衝台に被さり、
下緩衝台は上向きに口の開いた状態の箱台で、その中に複数のバネが設置され、その各バネは箱台の高さより高く、上緩衝台の底面がバネを押圧することを特徴とする建築物の防震装置。
【請求項２】
前記上緩衝台は、多辺形の外枠台及び多辺形の内枠台から構成され、底面で封鎖し、最上端は口が開いた状態の台座で、その最上端に仲介板を被せてはんだ付けしてひとつに固定し、その内枠台内には底面から上向きに突出した固定柱を設置し、その固定柱には最上端から下向きに伸びた内ネジ孔を設置し、その内ネジ孔に吊り輪をネジ止めし、仲介板の中心位置に穿孔を設置し、そこに固定柱の最上端を嵌め込み、仲介板と平らに揃えることを特徴とする請求項１記載の建築物の防震装置。
【請求項３】
前記側面緩衝台は、下蓋及び上蓋から構成され、下蓋は平板に内縮する突出枠体を設置し、枠体の最上端には凸条を設置し、その枠体内には平板から数本の凸管を設置し、各凸管には高圧のバネを設置し、各バネはすべて枠体から突出し、その枠体内には別に挟持台を設置し、その挟持台内には予め遊びを設けるもので、また上蓋は下蓋の口の開いた部分を相対させ、その周囲は壁面を具え、その前側面内には掛合部品を設置し、それを挟持台内に嵌合し、上蓋は挟持台の遊び範囲に於いて前後移動し、上蓋の上端内面には別に凸条を設置し、その凸条は下蓋の凸条と共に掛合し、上蓋が弾性収縮するので脱落しないことを特徴とする請求項１記載の建築物の防震装置。
【請求項４】
前記下緩衝台は、その箱台内に隙間を具えて排列した凸柱を複数附設し、各凸柱に高圧のバネを設置し、各凸柱の上端には位置限定枠を設置し、バネを位置限定することによって、位置限定枠が相互に連結して固定され、最も外側の位置限定枠は箱台にはんだ付けしてひとつにすることを特徴とする請求項１記載の建築物の防震装置。
【請求項５】
前記内、外枠台は、相対する八面体で、その内枠台の各側面には凸台が設置されてそこにバネの一端を嵌合し、位置を限定するバネによって外枠台の各側面には穿孔が設置され、その各穿孔に鎖錠部品を外側から設置し、各穿孔の内側面には内ネジ孔を具えた凸字形の押圧台が設置され、押圧台の大端面は穿孔より大きく、鎖錠部品の一端は外ネジ紋に設置して押圧台の内ネジ孔内に螺設し、その押圧台の別端にバネを嵌合することを特徴とする請求項２記載の建築物の防震装置。
【請求項６】
前記仲介板は、その上端面に縦横に交錯した複数の凹溝を成形し、凹溝内に複数個の穿孔を設置することを特徴とする請求項２記載の建築物の防震装置。
【請求項７】
前記上蓋は、その外側面に一から数個の持ち手を設置することを特徴とする請求項３記載の建築物の防震装置。
【考案の詳細な説明】
【技術分野】
【０００１】
本考案は、建築物の防震装置に関するもので、建築物を分離状態で防震装置の上に建て、地震の時、その上下及び周囲の防震部品により、地震の振動に合わせて形状が変形し、その上の建築物は地震の揺れによって傾いたり、倒壊したりするのを大幅に少なくするものである。
【背景技術】
【０００２】
台湾では、1999年9月21日の大地震から、建築業界及び政府機関において、防震効果を具えた建築構造を法制化し、今後の地震発生時に同じような破壊が起きないようにしている。建築物はどのように防震するのか、研究成果が待たれている。
【特許文献１】特許公開２０００−１８９２５８
【考案の開示】
【考案が解決しようとする課題】
【０００３】
解決しようとする問題点は、地震の発生により、建築物が傾いたり、倒壊したりする点である。
【課題を解決するための手段】
【０００４】
本考案は、建築物に対して分離状態で設置し、地震の時に、防震装置の上下及び周囲の防震部品により、地震の振動に従って形を変形させ、その上の建築物が地震の振動で傾くのを防止し、または揺れ幅を大幅に下げる。本考案は、中空の上緩衝台内に複数の放射状排列したバネを設置し、上緩衝台の外側面が複数個のバネに相対する前端には別に複数の環状に排列した側面緩衝台を設置する。この側面緩衝台内にも複数のバネを設置し、側面緩衝台の前端の上蓋が往復伸縮して位置移動する。上緩衝台は下緩衝台の上に載せ、下緩衝台内には上下に伸縮するバネを複数設置する。本考案を基礎地面の杭上方に置き、更に上緩衝台は建築物に対して分離状態で載せることを最も主要な特徴とする。
【０００５】
すなわち、本考案の建築物の防震装置は、
上緩衝台と、
上緩衝台の周囲に複数環状排列した側面緩衝台と、
上緩衝台を載せる下緩衝台から構成された建築物の防震装置において、
上緩衝台は中空の台座で、その内部の水平方向には放射状に排列した複数個のバネが設置され、
複数の側面緩衝台は、上蓋及び下蓋から構成され、上下蓋の間には数個のバネを挟み、上蓋が弾性収縮して位置移動し、各側面緩衝台の裏側には鎖錠部品が設置されて上緩衝台の側面に差し込み、上緩衝台に対応するバネにより側面緩衝台全体が弾性伸縮移動し、上緩衝台の底面は下向きに口が開いた状態の下枠台を設置し、その下枠台が下緩衝台に被さり、
下緩衝台は上向きに口の開いた状態の箱台で、その中に複数のバネが設置され、その各バネは箱台の高さより高く、上緩衝台の底面がバネを押圧することを特徴とする。
【０００６】
前記上緩衝台は、多辺形の外枠台及び多辺形の内枠台から構成され、底面で封鎖し、最上端は口が開いた状態の台座で、その最上端に仲介板を被せてはんだ付けしてひとつに固定し、その内枠台内には底面から上向きに突出した固定柱を設置し、その固定柱には最上端から下向きに伸びた内ネジ孔を設置し、その内ネジ孔に吊り輪をネジ止めし、仲介板の中心位置に穿孔を設置し、そこに固定柱の最上端を嵌め込み、仲介板と平らに揃えることを特徴とする。
【０００７】
前記側面緩衝台は、下蓋及び上蓋から構成され、下蓋は平板に内縮する突出枠体を設置し、枠体の最上端には凸条を設置し、その枠体内には平板から数本の凸管を設置し、各凸管には高圧のバネを設置し、各バネはすべて枠体から突出し、その枠体内には別に挟持台を設置し、その挟持台内には予め遊びを設けるもので、また上蓋は下蓋の口の開いた部分を相対させ、その周囲は壁面を具え、その前側面内には掛合部品を設置し、それを挟持台内に嵌合し、上蓋は挟持台の遊び範囲に於いて前後移動し、上蓋の上端内面には別に凸条を設置し、その凸条は下蓋の凸条と共に掛合し、上蓋が弾性収縮するので脱落しないことを特徴とする。
【０００８】
前記下緩衝台は、その箱台内に隙間を具えて排列した凸柱を複数附設し、各凸柱に高圧のバネを設置し、各凸柱の上端には位置限定枠を設置し、バネを位置限定することによって、位置限定枠が相互に連結して固定され、最も外側の位置限定枠は箱台にはんだ付けしてひとつにすることを特徴とする。
【０００９】
前記内、外枠台は、相対する八面体で、その内枠台の各側面には凸台が設置されてそこにバネの一端を嵌合し、位置を限定するバネによって外枠台の各側面には穿孔が設置され、その各穿孔に鎖錠部品を外側から設置し、各穿孔の内側面には内ネジ孔を具えた凸字形の押圧台が設置され、押圧台の大端面は穿孔より大きく、鎖錠部品の一端は外ネジ紋に設置して押圧台の内ネジ孔内に螺設し、その押圧台の別端にバネを嵌合することを特徴とする。
【００１０】
前記仲介板は、その上端面に縦横に交錯した複数の凹溝を成形し、凹溝内に複数個の穿孔を設置することを特徴とする。
また、前記上蓋は、その外側面に一から数個の持ち手を設置することを特徴とする。
【考案の効果】
【００１１】
本考案の建築物の防震装置は、建築物に分離状態で設置し、地震の時に、防震装置の上下及び周囲の防震部品により、地震の振動に従って形を変形させ、その上の建築物が地震の振動で傾くのを防止、もしくは揺れ幅を大幅に下げるという利点がある。
【考案を実施するための最良の形態】
【００１２】
本考案の主な目的は、建築物の基台の杭と建築物の支柱の間に一から数個の防震装置を設置することにより、防震装置と基台がひとつに固定され、支柱は分離状態で防震装置上に立ち、防震装置が垂直方向、水平方向周辺すべてが弾性収縮し、地震の緩衝となり、建築物を過度に振動させない。
【００１３】
上述の目的のため、本考案は上緩衝台、上緩衝台周囲に環状排列した側面緩衝台、上緩衝台を載せる下緩衝台を含む。この上緩衝台は中空の台で、その内部には水平方向且つ放射状に配置された数本のバネが設置される。複数の側面緩衝台は上蓋及び下蓋から構成される。上、下蓋の間には複数のバネが設置され、上蓋は弾性を具えたバネで位置移動し、各側面緩衝台の裏面には鎖錠部品が設置され、上緩衝台に設置され、また上緩衝台で対応するバネを押さえる。側面緩衝台全体が弾性収縮して位置移動し、上緩衝台の底面には下向きに口の開いた状態の下枠台が設置され、その下枠台は下緩衝台上に被せる。この下緩衝台は上向きに口の開いた状態の箱台で中に複数個のバネが設置され、その各バネは箱台の高さより高く、上緩衝台の底面がバネを押止する。上緩衝台の中心位置には固定柱が設置され、その固定柱は外枠台よりやや低いか、もしくは高く、固定柱の最上端には吊り輪が設置される。
【実施例】
【００１４】
図１から図３に示すとおり、本考案の建築物の防震装置５０は、上緩衝台２０、複数枚の側面緩衝台３０、下緩衝台４０を含み、そのうち、
【００１５】
上緩衝台２０は、多辺形の外枠台２４及び多辺形の内枠台２５から構成されて底面で封鎖し、最上端が開いた状態の台である。この底端面は、下向きに開いた状態の矩形の下枠台２４２を設置し、内枠台２５に底面から上向きに突出した固定柱２６を設置し、固定柱２６には最上端面から下向きに伸びた内ネジ孔２６１を貫設し、その内ネジ孔２６１には吊り輪２１を螺設し、その最上端は仲介板２３で蓋をして固定し、一体にする。その仲介板２３の上端面には縦横に交錯した凹溝２３２が成形され、その凹溝２３２上に穿孔２３３を貫設する。この複数個の穿孔２３３から上緩衝台２０に注いだ潤滑油を溢れ出させる。この仲介板２３の中心位置には穿孔２３１が設置され、固定柱２６最上端を穿孔２３１内に嵌め込み、仲介板２３と平らにする。この仲介板２３の上方に滑動板２２を載せ、滑動板２２の中心位置には仲介板２３の穿孔２３１と対応する穿孔２２１を設置し、滑動板２２の周囲はナット２２２で止め、建築物の支柱６２底面の基板とネジ止め固定する。この仲介板２３及び滑動板２２の穿孔２３１、２２１には吊り輪２１底部の突出した外ネジ紋２１２を嵌め込み、固定柱２６のネジ孔２６１内でネジ止めする。この吊り輪２１最上端には掛合部２１１が設置され、運搬時に掛合して使用される。吊り輪２１は建築物に設置する際、取り外す。内、外枠台２５、２４は相対する八面体で、内、外枠台２４、２５の相対する側面の間には、各々高圧のバネ２８が設置され、内枠台２５の各側面すべてに凸台２９が設置され、そこにバネ２８の一端を設置してバネ２８の動きを限定する。外枠台２５の各側面には穿孔２４１が設置され、各穿孔２４１に鎖錠部品３２を外側から差し込んで各穿孔２４１の内側面に内ネジ孔２７１を具えた凸字形の押圧台２７を設置する。この押圧台２７の大端面は穿孔２４１より大きく、鎖錠部品３２の一端の外ネジ紋３２１は押圧台２７の内ネジ紋２７１内で止め、この押圧台２７の別端はバネ２８に設置し、各鎖錠部品３２は側面緩衝台３０と結合して一体化する。
【００１６】
複数枚の側面緩衝台３０は、下蓋３１及び上蓋３６が合わさって構成される。下蓋３１は平板３１１上に内向きに縮小する突出した枠体３１２が設置され、その枠体３１２の最上端に凸条３１３を設置する。この枠体３１２内には平板３１１から突出した凸管３１４が数本設置され、各凸管３１４にはすべて高圧のバネ３５が設置される。各バネ３５は枠体３１２からすべて突出し、平板３１１の中心位置には矩形の穿孔３１５が貫設される。この矩形の穿孔３１５に鎖錠部品３２の別の末端の内縮する矩形部３２２が設置される。この矩形部３２２の前端面にはネジ孔３２３が貫設され、矩形の穿孔３１５外側に穿孔３３１を具えたワッシャー３３を嵌合し、ネジ３４で鎖錠部品３２のネジ孔３２３を止め、各下蓋３１を上緩衝台２０の周囲に環状排列する。この矩形の穿孔３１５の下方には挟持台３１６が別に凸設され、挟持台３１６内には遊びを取る。この上蓋３６は、下蓋３１端が開いた状態で相対し、その周囲は壁面を具え、その前側面は二本の持ち手３６１、３６２を設置し、その前側面の内面には掛合部品を設置して挟持台３１６に相対する。この掛合部品３６４を挟持台３１６内に入れ、その挟持台３１６の遊び設計により、上蓋３６が前後に移動し、且つ外れない。この上蓋３６の上端面内面には別に凸条３６３が設置され、その凸条３６３は、下蓋３１の凸条３１３と掛合状態を形成し、上蓋２６をバネ収縮させて脱落を防止する。
【００１７】
下緩衝台４０は上向きに開いた状態の矩形の箱台４１内に隙間を形成して排列した凸柱４２を設置し、各凸柱４２には高圧のバネ４４を設置する。この各凸柱４２の上端には、位置限定枠４３が設置され、バネ４４の位置を限定し、各位置限定枠４３の間が相互に連結して固定される。最も外側の位置限定枠４３は、箱台４１内側面にはんだ付けして設置し、各バネ４４は箱台４１の高さから突出する。この箱台４１は、上緩衝台２０の下枠２４２よりやや小さく、下枠台２４２が箱台４１外側に覆い被さり、各バネ４４が上緩衝台２０の底端で押さえられる。
【００１８】
図１０に示すとおり、本考案の防震装置５０は、橋梁、家屋、ビルの建造に応用され、支柱６２下面に設置する。仲介板２３は建築物の支柱６２底面の基板６２１とネジ止めしてひとつにする滑動板２２を置くのに供する。上緩衝台２０にモルタルを流し込む前に、その内部に潤滑油を注入し、吊り輪２１は予め外しておく。図４、図５に示すとおり、本考案の各側面緩衝台３０の上蓋３６が、外からの力によって押されると、側面緩衝台３０内の複数のバネ３５が弾性収縮し、外力が解除されると、各バネ３５の弾力により、上蓋３６を元の位置に回復させる。図６、図７に示すとおり、側面緩衝台３０の上蓋３６が外力によって押されて各凸管３１４まで収縮すると、平板３１１１が鎖錠部品３２、押圧台２７、バネ２８を押して弾性内縮し、側面緩衝台３０全体を弾性内縮させ、外力の緩衝となり、外力が解除されるのを待つ。この側面緩衝台３０は、各バネ２８の弾力によって、元の位置まで回復し、また建築物の支柱６２と防震装置５０が分離状態であるため、防震装置５０全体を移動させる時でも建築物を移動させる必要がない。図８、図９に示すとおり、本考案の下緩衝台４０底端が外力によって押された場合、上に移動して各バネ４４を収縮させ、地震の振動力量から緩衝し、振動力量を建築物に伝えないか、もしくは建築物に伝える力量を軽減して、建築物を過度な振動から保護する。
【図面の簡単な説明】
【００１９】
【図１】本考案の上台及び下台分離時の立体分解図である。
【図２】本考案の上台及び下台の立体分解図である。
【図３】本考案の立体外観図である。
【図４】図３のＡＡ断面動作指示図である。
【図５】図３のＡＡ断面動作指示図である。
【図６】図３のＢＢ断面動作指示図である。
【図７】図３のＢＢ断面動作指示図である。
【図８】図３のＢＢ断面動作指示図である。
【図９】図３のＢＢ断面動作指示図である。
【図１０】本考案の使用状態指示図である。
【符号の説明】
【００２０】
２０        上緩衝台
２１        吊り輪
２１１        掛合部
２１２        外ネジ紋
２２        滑動板
２２１        穿孔
２２２        ナット
２３        仲介板
２３１        穿孔
２３２        凹溝
２３３        穿孔
２４        外枠台
２４１        穿孔
２４２        下枠台
２４３        底板
２４４        押圧板
２５        内枠台
２６        固定柱
２６１        内ネジ孔
２７        押圧台
２７１        内ネジ孔
２８        バネ
２９        凸台
３０        側面緩衝台
３１        下蓋
３１１        平板
３１２        枠体
３１３        凸条
３１４        凸管
３１５        矩形孔
３１６        挟持台
３２        鎖錠部品
３２２        矩形部
３２３        ネジ孔
３３        ワッシャー
３４        ネジ
３５        バネ
３６        上蓋
３６１        持ち手
３６２        持ち手
３６３        凸条
３６４        掛合部品
４０        下緩衝台
４１        箱台
４２        凸柱
４３        位置限定枠
４４        バネ
５０        防震装置
６２        支持柱
６２１        基板
【図１】
0003128877.tif 000003
【図２】
0003128877.tif 000004
【図３】
0003128877.tif 000005
【図４】
0003128877.tif 000006
【図５】
0003128877.tif 000007
【図６】
0003128877.tif 000008
【図７】
0003128877.tif 000009
【図８】
0003128877.tif 000010
【図９】
0003128877.tif 000011
【図１０】
0003128877.tif 000012